(57)【要約】【課題】脱型時に型枠やインサート器具に大きな衝撃を与えず、コンクリート構造物に損傷を与えず、構造簡単で、脱型作業が容易であり、インサート器具の大きさが異なる場合の対応を容易にする。【解決手段】外周に雄ねじ部５ａを有する保持具５をスリーブ３内に装着するとともに、インサート本体１の雌ねじ部１ａに螺着し、底部６ａと円筒部６ｂからなら破断治具６の円筒部６ｂ内に設けた雌ねじ部６ｄを保持具５の雄ねじ部５ａに螺着し、かつ底部６ａと円筒部６ｂとの間に薄肉の破断可能部６ｆを設け、破断治具６の底部６ａを固定ピン７により型枠１０に取り付け、脱型時に破断可能部６ｆを破断する。【選択図】　図１
2004034482.tif 000002
【特許請求の範囲】
【請求項１】
コンクリート構造物内の所定の位置に埋設され、取付ボルトが螺合する雌ねじ部を有するインサート本体と、取付ボルトが挿入される取付ボルト挿入筒体とを備えたインサート器具を、コンクリート打設時に用いられる型枠に取り付けるためのインサート取付器具において、取付ボルト挿入筒体内に装着されるとともに、インサート本体の雌ねじ部と螺着される保持具と、脱型時に破断する破断可能部を有する破断治具と、破断治具の破断側を型枠に固定する固定ピンとを備え、保持具と破断治具とを着脱自在に一体化したことを特徴とするインサート取付器具。
【請求項２】
コンクリート構造物内の所定の位置に埋設され、取付ボルトが螺合する雌ねじ部を有するインサート本体と、取付ボルトが挿入される取付ボルト挿入筒体とを備えたインサート器具を、コンクリート打設時に用いられる型枠に取り付けるためのインサート取付器具において、取付ボルト挿入筒体内に装着されるとともに、インサート本体の雌ねじ部と螺着される保持具と、脱型時に破断する破断可能部を有する破断治具と、破断治具の破断側を型枠に固定する固定ピンとを備え、保持具と破断治具とを一体に形成したことを特徴とするインサート取付器具。
【請求項３】
保持具は、樹脂部材又は金属部材からなることを特徴とする請求項１記載のインサート取付器具。
【請求項４】
破断治具は、樹脂部材からなることを特徴とする請求項１〜３の何れかに記載のインサート取付器具。
【請求項５】
固定ピンは、雄ねじ部材からなり、一端部は破断治具に係合することを特徴とする請求項１〜４の何れかに記載のインサート取付器具。
【発明の詳細な説明】
【０００１】
【発明の属する技術分野】
この発明は、コンクリート構造物内に埋設するインサート器具に係り、特にインサート器具を型枠に仮固定するインサート取付器具に関するものである。
【０００２】
【従来の技術】
インサート器具を型枠に仮固定するインサート取付器具に関して、型枠を貫通する雄ねじからなる固定ピンにより固定する技術として、例えば実公平６−１９２７号公報などが知られている。
【０００３】
又、コンクリート打設後の型枠の除去が容易に行える技術として、次のようなものが提案されている。まず、取付具を変形させて脱型するものとして、特開２００１−１７３１０９がある。又、取付具を破断して脱型するものとして、特開平１１−２００５０７、同１１−２０００５０６、同１１−２００５０５、登録実用新案３００５４５１、同３０４５９４５、実公平４−４０８０１、実公平４−３２２５５、実公昭５９−３８６３がある。さらに、取付具を破断又は抜いて脱型するものとして、特開２０００−７９６０９、特開平１１−３４８０２４、同１１−２６２９１１、同１１−１４０９９１、同１１−７０５１５、同１１−７０５１４、同１０−３０６５１０、同１０−６７０１１、同１０−６７０１０、同９−３２２３４８、同８−１００５２５、同８−５７８３８、同７−２３２３１４、同７−２２４４６６、同７−１９５３３７、同７−１７１８２０等がある。
【０００４】
【発明が解決しようとする課題】
上記した従来の技術においては、固定ピンを型枠に貫通して取付具を型枠に固定することから、コンクリート打設後に型枠を除去する際には、まず固定ピンを除去する必要があり、脱型作業が煩雑となり、工期短縮やコスト削減に対する弊害となっている。又、このような課題を解決するものとして、脱型時に型枠に衝撃を加え、取付具の一部を破断することにより、脱型を容易にする技術が知られているが、この場合取付具を直接型枠に螺着、又は嵌合手段により固定することから、型枠に雌ねじ部や複数の孔を設けることが必要となる。又、型枠を他のコンクリート構造物に使用する場合に、インサート器具の大きさが異なるものを設ける場合には、雌ねじ部や孔を再度設置変更することが必要となったり、新たに設ける必要が生じたりする課題が生じた。
【０００５】
一方、取付具側においても、雄ねじ部や複数の突起を設けることが必要となり、脱型時に取付具を破断する場合には、再利用できない消耗品となる。又、脱型時に型枠に衝撃を与えて脱型することから、インサート器具に衝撃を与えることとなり、コンクリート構造物に損傷を与える可能性があった。
【０００６】
この発明は上記のような課題を解決するために成されたものであり、脱型時に型枠やインサート器具に大きな衝撃を与えることなく、コンクリート構造物に損傷を与えず、構造簡単で再利用可能であり、かつ脱型作業が容易で、インサート器具の大きさが異なる場合も容易に対応することができるインサート取付器具を得ることを目的とする。
【０００７】
【課題を解決するための手段】
破断可能部を備えた破断治具を介して、型枠にインサート器具を仮固定することにより、上記課題を解決する。
【０００８】
この発明の請求項１に係るインサート取付器具は、コンクリート構造物内の所定の位置に埋設され、取付ボルトが螺合する雌ねじ部を有するインサート本体と、取付ボルトが挿入される取付ボルト挿入筒体とを備えたインサート器具を、コンクリート打設時に用いられる型枠に取り付けるためのインサート取付器具において、取付ボルト挿入筒体内に装着する保持具と、脱型時に破断する破断可能部を有する破断治具と、破断治具の破断側を型枠に固定する固定ピンとを備え、保持具と破断治具とを着脱自在に一体化したものである。
【０００９】
請求項２に係るインサート取付器具は、コンクリート構造物内の所定の位置に埋設され、取付ボルトが螺合する雌ねじ部を有するインサート本体と、取付ボルトが挿入される取付ボルト挿入筒体とを備えたインサート器具を、コンクリート打設時に用いられる型枠に取り付けるためのインサート取付器具において、取付ボルト挿入筒体内に装着する保持具と、脱型時に破断する破断可能部を有する破断治具と、破断治具の破断側を型枠に固定する固定ピンとを備え、保持具と破断治具とを一体に形成したものである。
【００１０】
請求項３に係るインサート取付器具は、保持具が、樹脂部材又は金属部材からなるものである。保持具はその外周の全体又は一端側に雄ねじ部を形成し、保持具の一端側をインサート本体に螺着する。又、保持具の一端又は両端に工具係合用穴（四角、六角）を形成し、この穴を保持具を除去する際に使用する。
【００１１】
請求項４に係るインサート取付器具は、破断治具が、樹脂部材からなるものである。破断治具は、ポリプロピレンなどの樹脂から形成する。又、破断治具は、保持具の雄ねじ部に螺着し、または保持具の一端側に設けた凹部内の雌ねじ部に螺着する。又、破断治具は、固定ピンが貫通する底部と、保持具に係合する筒部とからなる。筒部は、内周又は外周にねじ部を備えるとともに、固定ピンの頭部と係合する固定ピンの回り止め部も備える。さらに、破断治具は、固定ピンが螺着する雌ネジ部を有し、破断治具の破断可能部は、底部又は筒部に形成し、切り欠き等により薄肉に形成する。
【００１２】
請求項５に係るインサート取付器具は、固定ピンが、雄ねじ部材からなり、その一端部が破断治具の破断側に係合するものである。即ち、固定ピンは、一端側に径大な頭部を備え、破断治具の破断側と係合する。又、固定ピンは、一端側に径大で回転操作可能な頭部を備え、他端側は破断治具と螺着する。
【００１３】
【発明の実施の形態】
実施形態１
以下、この発明の実施の形態を図面とともに説明する。図１はこの発明の実施形態１によるインサート器具のコンクリート打設状態での断面図を示し、１はセラミックスからなり、コンクリート構造物２内の所定位置に埋設されたインサート本体であり、インサート本体１はコンクリート構造物２の外表面に被取付物を取り付ける際に用いられる取付ボルトが螺合する雌ねじ部１ａが軸方向に設けられている。３はコンクリート構造物２内のインサート本体１の外表面側に埋設された円筒状のスリーブ（取付ボルト挿入筒体）であり、インサート本体１とは継手４を介して接続され、被取付物の取付の際には取付ボルトが挿通される。スリーブ３の型枠１０側にはゴムパッキン１１が一体的に設けられ、インサート本体１、スリーブ３、継手４及びゴムパッキン１１により、インサート器具９が構成される。５は外周に雄ねじ部５ａが形成された円柱状の保持具であり、スリーブ３内に挿入され、その一端側はインサート本体１の雌ねじ部１ａに螺着される。
【００１４】
図２（ａ）〜（ｄ）は破断治具の左側面図、縦断正面図、右側面図、及び図２（ｂ）のＡ部拡大図を示し、破断治具６はポリプロピレンなどの樹脂からなり、底部６ａと円筒部６ｂとから形成され、底部６ａには固定ピン７が貫通する孔６ｃが形成されるとともに、円筒部６ｂの内周には保持具５の外周の雄ねじ部５ａと螺合する雌ねじ部６ｄが形成されている。又、円筒部６ｂの内周の低部６ａ側の一端には、固定ピン７の頭部７ａと係合する回り止め部６ｅが突出形成され、底部６ａと円筒部６ｂとの接続部の外周には切り込み等により薄肉にされた破断可能部６ｆが形成される。
【００１５】
図３（ａ），（ｂ）は蝶ナット８と螺合した状態の固定ピンの正面図及び右端面図を示し、固定ピン７は雄ねじ部７ｂと、その一端に径大でかつ破断治具６の回り止め部６ｅと係合する平坦な係合部７ｃを有する頭部７ａとからなる。
【００１６】
図４（ａ）〜（ｃ）はインサート器具９を型枠１０に装着する手順の説明図であり、まず図４（ａ）に示すように、型枠１０の内側（コンクリート打設側）に破断治具６及び固定ピン７を配置するとともに、型枠１０の外側に蝶ナット８を配置し、次に、図４（ｂ）に示すように、固定ピン７の雄ねじ部７ｂを破断治具６の円筒部６ｂに挿入し、さらに低部６ａの孔６ｃ及び型枠１０の取付孔１０ａに挿通し、型枠１０の外側で蝶ナット８を螺着する、これによって、固定ピン７の頭部７ａと蝶ナット８との間において破断治具６と型枠１０とが一体化される。又、固定ピン７の頭部７ａの係合部７ｃが破断治具６の回り止め部６ｅと係合し、蝶ナット８の締め付けの際に固定ピン７の回転は阻止される。又、保持具５の一端側を破断治具６の雌ねじ部６ｄに螺着する。なお、保持具５の少なくとも一端側に四角や六角の工具係合用穴５ｂを形成してある。次に、図４（ｃ）に示すように、インサート器具９をゴムパッキン１１を先頭にして保持具５及び破断治具６に挿入し、ゴムパッキン１１が型枠１０に当接するまで保持具５の雄ねじ部５ａにインサート本体１の雌ねじ部１ａを螺合する。
【００１７】
上記したようにインサート器具９を型枠１０に装着した後、図１に示すように、型枠１０の内側にコンクリートを打設してインサート器具９を埋設し、コンクリートの固化によりコンクリート構造物２を形成する。次に、図５に示すように、型枠１０に衝撃を加えることにより、破断治具６の破断可能部６ｆを破断し、固定ピン７、蝶ナット８、型枠１０及び破断治具６の底部６ａを一体化したまま除去する。次に、図６に示すように、ゴムパッキン１１を除去した後、保持具５の工具係合用穴５ｂにレンチ１２を係合して回転し、保持具５をインサート本体１の雌ねじ部１ａ及びスリーブ３から抜き取り、同時に保持具５と螺合した破断治具６の円筒部６ｂもスリーブ３から抜き取られる。この状態において、被取付部材に挿通した取付ボルトをスリーブ３に挿通し、インサート本体１の雌ねじ部１ａに螺着して被取付部材をコンクリート構造物２に取り付ける。一方、図７（ａ）に示すように破断された部分は、図７（ｂ）に示すように蝶ナット８を固定ピン７から除去した後、図７（ｃ）に示すように固定ピン７を型枠１０の取付孔１０ａ及び破断治具６の底部６ａの孔６ｃから抜き取り、底部６ａを破棄する。
【００１８】
実施形態１においては、脱型時に破断治具６の破断可能部６ｆを破断して型枠１０を除去しており、脱型作業が容易であるとともに、脱型時に型枠１０やインサート器具９に大きな衝撃を加えることはなく、コンクリート構造物２に損傷を与えることはない。又、各種大きさのインサート器具を設置する場合においても、型枠１０の取付孔１０ａを加工変更することなく、対応する保持具５と破断治具６を用いるだけで容易に対応することができる。さらに、取付器具のうち、破断治具６以外の部材は再度用いることができる。
【００１９】
図８（ａ），（ｂ）は固定ピン７の変形例を示す、正面図及びそのＢ部拡大図であり、固定ピン７の雄ねじ部７ｂの先端部に可動爪７ｄを回動自在に設け、この可動爪７ｄを抑える板ばね７ｅを雄ねじ部７ｂに設けた。型枠１０に固定ピン７を挿通した後、可動爪７ｄを９０度曲げることにより、固定ピン７が型枠１０の取付穴１０ａから脱落するのを防止することができる。
【００２０】
実施形態２
図９（ａ），（ｂ）は実施形態２によるインサート取付器具の要部断面図及びそのＣ部拡大図を示し、外周に雄ねじ部１３ａが形成された円柱状の保持具１３の型枠１０側端部に凹部１３ｃを設け、凹部１３ｃの内周には雌ねじ部１３ｄを設けるとともに、凹部１３ｃの中央部には六角の工具係合用穴１３ｂを設ける。一方、１４は樹脂からなる破断治具であり、破断治具１４は底部１４ａと円筒部１４ｂとからなり、底部１４ａには固定ピン７が挿通する孔１４ｃが設けられるとともに、円筒部１４ｂの外周には保持具１３の凹部１３ｃの内周の雌ねじ部１３ｄと螺合する雄ねじ部１４ｄが形成される。又、底部１４ａと円筒部１４ｂとの接続部の外周には、切り込みにより薄肉にされた破断可能部１４ｅが形成されている。その他の構成は実施形態１と同様である。脱型時は、破断可能部１４ｅを破断する。
【００２１】
実施形態２においては、保持具１３の凹部１３ｃ内の雌ねじ部１３ｄに破断治具１４の雄ねじ部１４を螺着しているので、インサート器具９の外径の大きさに対応した各種の大きさの外径の保持具１３を用いた場合でも、雌ねじ部１３ｄの径を統一することにより、破断治具１４を共通化することができる。その他の効果は実施形態１と同様である。
【００２２】
実施形態３
図１０（ａ），（ｂ）は実施形態３によるインサート取付治具の要部断面図及びそのＤ部拡大図を示し、固定ピン１５は、雄ねじ部１５ａと、その一端に設けられた径大で回転操作可能な頭部１５ｂとからなる。樹脂からなる破断治具１６は、外周部１６ａと、内周部１６ｂと、底部１６ｃとからなり、外周部１６ａの外周には保持具１３の凹部１３ｃの内周の雌ねじ部１３ｄと螺着する雄ねじ部１６ｄを有するとともに、内周部１６ｂの内周には型枠１０の取付孔１０ａを挿通した固定ピン１５の雄ねじ部１５ａと螺着する雌ねじ部１６ｅを有し、また外周部１６ａと底部１６ｃとの接続部には薄肉の破断可能部１６ｆが形成される。脱型は、破断可能部１６ｆの破断により行う。効果は、実施形態２と同様である。
【００２３】
実施形態４
図１１（ａ），（ｂ）は実施形態４によるインサート取付器具の要部断面図及びそのＥ部拡大図を示し、樹脂からなる破断治具１７は、底部１７ａと、円筒部１７ｂと、底部１７ａの中心に設けられた雌ねじ部１７ｃと、円筒部１７ｂの内周に設けられた雌ねじ部１７ｄと、底部１７ａと円筒部１７ｂとの接続部の外周に切り欠きにより薄肉に形成された破断可能部１７ｅとからなり、雌ねじ部１７ｃは固定ピン１５の雄ねじ部１５ａと螺着し、雌ねじ部１７ｄは保持具５の雄ねじ部５ａと螺着する。脱型は、破断可能部１７ｅの破断により行う。効果は、実施形態１と同様である。
【００２４】
実施形態５
図１２は実施形態５によるインサート取付器具の要部断面図を示し、１８は樹脂からなる破断治具兼保持具であり、破断治具と保持具とを一体化したものであり、スリーブ３内に装着される本体部１８ａの一端にインサート本体１の雌ねじ部１ａと螺着する雄ねじ部１８ｂを外周に有する突出部１８ｃを設けるとともに、本体部１８ａの他端の中心に雌ねじ部１８ｄを設け、さらに雌ねじ部１８ｄの底部側に六角の工具係合用穴１８ｅを設け、また本体部１８ａの他端側に切り欠きにより薄肉にされた破断可能部１８ｆを設ける。脱型は、破断可能部１８ｆの破断により行う。
実施形態５においては、破断治具と保持具とを一体に形成したので、構造が簡単になる。その他の効果は実施形態１と同様である。
【００２５】
【発明の効果】
以上のようにこの発明によれば、インサート本体を支持する保持具と着脱自在に一体化又は保持具と一体とされ、固定ピンにより型枠に支持された破断治具に破断可能部を設け、脱型時にこの破断可能部を破断して脱型するようにしており、脱型作業が容易になるとともに、脱型時にインサート本体や型枠に大きな衝撃を加えなくても良いので、コンクリート構造物に損傷を与えない。又、インサート器具の大きさが各種異なっても、保持具や破断治具を変更するだけで対応することができ、型枠の取付孔等を変更する必要がない。
【図面の簡単な説明】
【図１】この発明の実施形態１によるインサート取付器具を含むインサート器具のコンクリート打設状態での断面図である。
【図２】実施形態１による破断治具の左側面図、縦断正面図、右側面図及びＡ部拡大図である。
【図３】実施形態１による固定ピンの正面図及び右端面図である。
【図４】実施形態１によるインサート器具を型枠に装着する手順の説明図である。
【図５】実施形態１によるインサート取付器具を含むインサート器具の脱型時の断面図である。
【図６】実施形態１によるインサート取付器具を含むインサート器具のゴムパッキン、保持具等の除去時の断面図である。
【図７】実施形態１による破断部分の分解説明図である。
【図８】固定ピンの変形例を示す正面図及びそのＢ部拡大図である。
【図９】実施形態２によるインサート取付器具の要部断面図及びそのＣ部拡大図である。
【図１０】実施形態３によるインサート取付器具の要部断面図及びそのＤ部拡大図である。
【図１１】実施形態４によるインサート取付器具の要部断面図及びそのＥ部拡大図である。
【図１２】実施形態５によるインサート取付器具の要部断面図である。
【符号の説明】
１…インサート本体
１ａ，６ｄ、１３ｄ，１６ｅ、１７ｄ、１８ｄ…雌ねじ部
２…コンクリート構造物
３…スリーブ
５，１３…保持具
５ａ，７ｂ，１３ａ，１４ｄ，１５ａ、１６ｄ、１８ｂ…雄ねじ部
６，１４，１６，１７…破断治具
６ｆ，１４ｅ、１６ｆ，１７ｅ、１８ｆ…破断可能部
７…固定ピン
９…インサート器具
１０…型枠
１８…破断治具兼保持具
【図１】
2004034482.tif 000003
【図２】
2004034482.tif 000004
【図３】
2004034482.tif 000005
【図４】
2004034482.tif 000006
【図５】
2004034482.tif 000007
【図６】
2004034482.tif 000008
【図７】
2004034482.tif 000009
【図８】
2004034482.tif 000010
【図９】
2004034482.tif 000011
【図１０】
2004034482.tif 000012
【図１１】
2004034482.tif 000013
【図１２】
2004034482.tif 000014